(57)【要約】【課題】狭いスペースに設置することができ、外観上の美観を向上させることができ、しかも、悪戯を防止する封印が可能な電力量計用通信装置を提供する。【解決手段】筐体２内に設置された電力量計１からケーブル７を介して送られてくる計量データを外部に伝送する処理を行う回路基板８を収納するケース９、１０を備え、ケースは、該ケースを固定用ネジ２０で筐体２に固定するためのケース固定用ネジ穴１５と封印ワイヤ２１を通すための封印穴１９を有する封印ネジ１８が螺合される封印用ネジ穴１６と封印ワイヤ２１を通すための封印ワイヤ用穴１７とが形成された張出部１００を有し、ケースは、ケース固定用ネジ穴１５に挿入された固定用ネジ２０によって筐体２に固定され、封印用ネジ穴１６に螺合された封印ネジ１８の封印穴１９と封印ワイヤ用穴１７とに封印ワイヤ２１が通されて締結されることにより封印されている。【選択図】      図３
2006275800.tif 000002
【特許請求の範囲】
【請求項１】
筐体内に設置された電力量計からケーブルを介して送られてくる計量データを外部に伝送する伝送信号入出力回路および前記電力量計から前記ケーブルを介して送られてくる交流電力に基づいて前記伝送信号入出力回路に供給する直流電力を生成する電源回路が搭載された回路基板を収納するケースを備えた電力量計用通信装置であって、
前記ケースは、該ケースを固定用ネジで前記筐体に固定するためのケース固定用ネジ穴と封印ワイヤを通すための封印穴を有する封印ネジが螺合される封印用ネジ穴と前記封印ワイヤを通すための封印ワイヤ用穴とが形成された張出部を有し、前記封印用ネジ穴に螺合された前記封印ネジの前記封印穴と前記封印ワイヤ用穴とに前記封印ワイヤが通されて締結されることにより封印されることを特徴とする電力量計用通信装置。
【請求項２】
前記ケースは、下ケースと上ケースとから成り、
前記下ケースは、該下ケースを前記筐体に固定するための前記ケース固定用ネジ穴と前記封印ネジが螺合される封印用下ケースネジ穴とが形成された下ケース張出部を有し、
前記上ケースは、前記封印ネジが螺合される封印用上ケースネジ穴と前記封印ワイヤ用穴とが形成された上ケース張出部を有し、
前記上ケースは、前記封印用下ケースネジ穴および封印用上ケースネジ穴に螺合された前記封印ネジによって前記上ケース張出部が前記下ケース張出部を覆うように前記下ケースに取り付けられ、前記封印ネジの前記封印穴と前記封印ワイヤ用穴とに前記封印ワイヤが通されて締結されることにより封印されることを特徴とする請求項１記載の電力量計用通信装置。
【請求項３】
前記上ケース張出部の一部であって、前記上ケースが前記下ケースに取り付けられた場合に前記ケース固定用ネジ穴に対向することになる部分にスリットが設けられていることを特徴とする請求項２記載の電力量計用通信装置。
【請求項４】
前記ケースは、下ケースと上ケースと封印カバーとから成り、
前記下ケースは、該下ケースを前記筐体に固定するための前記ケース固定用ネジ穴と前記封印ネジが螺合される封印用下ケースネジ穴とが形成された下ケース張出部を有し、
前記封印カバーは、前記封印ネジが螺合される封印用封印カバーネジ穴と前記封印ワイヤ用穴とを有し、
前記封印カバーは、前記封印用下ケースネジ穴および封印用封印カバーネジ穴に螺合された前記封印ネジによって前記封印カバーが前記下ケース張出部を覆うように前記下ケースに取り付けられ、前記封印ネジの前記封印穴と前記封印ワイヤ用穴とに前記封印ワイヤが通されて締結されることにより封印されることを特徴とする請求項１記載の電力量計用通信装置。
【請求項５】
前記ケースは、下ケースと上ケースと封印カバーとから成り、
前記下ケースは、該下ケースを前記筐体に固定するための前記ケース固定用ネジ穴と前記封印ワイヤを通すための封印部封印ワイヤ用穴を有する封印部とが形成された下ケース張出部を有し、
前記封印カバーは、前記下ケース張出部に設けられた封印部を通す封印部通し穴と前記封印ワイヤ用穴とを有し、
前記封印カバーは、前記下ケース張出部の封印部が封印部通し穴を通って表面に露出するように前記下ケースに取り付けられ、前記封印カバーの表面に露出した前記封印部の封印部封印ワイヤ用穴と前記封印ワイヤ用穴とに前記封印ワイヤが通されて締結されることにより封印されることを特徴とする請求項１記載の電力量計用通信装置。
【発明の詳細な説明】
【技術分野】
【０００１】
本発明は、通信機能付き電力量計から得られた計量データを有線または無線により外部に送信する電力量計用通信装置に関し、特に、電力量計用通信装置を電力量計に取り付けるための構造に関する。
【背景技術】
【０００２】
近年、電力量計の検針作業は、人が目視で電力量を確認する目視検針から、遠隔地に設置された外部データ読出装置や集中管理センタから無線または有線の通信装置を用いて検針を行う遠隔検針へと移行しつつある。
【０００３】
このような遠隔検針を行うためのシステムとして、無線ユニットに設定される呼出番号等の特定データを自動的に設定して無線ユニットの保守・拡張を自動的に行い、しかも外部からの不正な通信介入を防止できるようにした高セキュリティ性を有する無線ユニット管理システムが知られている（例えば、特許文献１参照）。この無線ユニット管理システムは、無線ユニットのデータをデータ収集ユニットが収集して無線ユニットを管理するものであり、無線ユニットに同ユニットを特定するための特定データを複数保有させている。
【０００４】
ところで、従来の電力量計１は、図９に示すように、耐候性の向上や外観上の美観を損なわない等の理由から、計器箱、化粧ボックス、取り付け板といった筐体２に収容または取り付けられる場合が多い。しかし、筐体２の大きさは電力量計１より多少大きい程度であるので、電力量計用通信装置３を接続しようとしても、それを収納するスペースは殆ど存在しない。そこで、従来は、電力量計用通信装置３を筐体２の外に設置し、電力量計１と電力量計用通信装置３との間を、ケーブル４で接続している。
【特許文献１】特開平１１−２９８９７４号公報
【発明の開示】
【発明が解決しようとする課題】
【０００５】
しかしながら、上述したように、従来の電力量計用通信装置３は、電力量計１を収納する筐体２の外に設置されているため、筐体２の設置スペース以外に電力量計用通信装置３の設置スペースを確保しなければならないという問題がある。また、筐体２の外に電力量計用通信装置３を設置するため、外観上の美観を損ねる等の問題が発生している。さらに、電力量計用通信装置３の封印方法が確立していないので、悪戯を効果的に防止できる対策が望まれている。
【０００６】
本発明は、狭いスペースに設置することができ、外観上の美観を向上させることができ、しかも、悪戯を防止する封印が可能な電力量計用通信装置を提供することにある。
【課題を解決するための手段】
【０００７】
第１の発明に係る電力量計用通信装置は、上記目的を達成するために、筐体内に設置された電力量計からケーブルを介して送られてくる計量データを外部に伝送する伝送信号入出力回路および電力量計からケーブルを介して送られてくる交流電力に基づいて伝送信号入出力回路に供給する直流電力を生成する電源回路が搭載された回路基板を収納するケースを備えた電力量計用通信装置であって、ケースは、該ケースを固定用ネジで筐体に固定するためのケース固定用ネジ穴と封印ワイヤを通すための封印穴を有する封印ネジが螺合される封印用ネジ穴と封印ワイヤを通すための封印ワイヤ用穴とが形成された張出部を有し、封印用ネジ穴に螺合された封印ネジの封印穴と封印ワイヤ用穴とに封印ワイヤが通されて締結されることにより封印されることを特徴とする。
【０００８】
また、第２の発明に係る電力量計用通信装置は、第１の発明に係る電力量計用通信装置において、ケースは、下ケースと上ケースとから成り、下ケースは、該下ケースを筐体に固定するためのケース固定用ネジ穴と封印ネジが螺合される封印用下ケースネジ穴とが形成された下ケース張出部を有し、上ケースは、封印ネジが螺合される封印用上ケースネジ穴と封印ワイヤ用穴とが形成された上ケース張出部を有し、上ケースは、封印用下ケースネジ穴および封印用上ケースネジ穴に螺合された封印ネジによって上ケース張出部が下ケース張出部を覆うように下ケースに取り付けられ、封印ネジの前記封印穴と封印ワイヤ用穴とに封印ワイヤが通されて締結されることにより封印されることを特徴とする。
【０００９】
また、第３の発明に係る電力量計用通信装置は、第２の発明に係る電力量計用通信装置において、上ケース張出部の一部であって、上ケースが下ケースに取り付けられた場合にケース固定用ネジ穴に対向することになる部分にスリットが設けられていることを特徴とする。
【００１０】
また、第４の発明に係る電力量計用通信装置は、第１の発明に係る電力量計用通信装置において、ケースは、下ケースと上ケースと封印カバーとから成り、下ケースは、該下ケースを筐体に固定するためのケース固定用ネジ穴と封印ネジが螺合される封印用下ケースネジ穴とが形成された下ケース張出部を有し、封印カバーは、封印ネジが螺合される封印用封印カバーネジ穴と封印ワイヤ用穴とを有し、封印カバーは、封印用下ケースネジ穴および封印用封印カバーネジ穴に螺合された封印ネジによって封印カバーが下ケース張出部を覆うように下ケースに取り付けられ、封印ネジの封印穴と封印ワイヤ用穴とに封印ワイヤが通されて締結されることにより封印されることを特徴とする。
【００１１】
また、第５の発明に係る電力量計用通信装置は、第１の発明に係る電力量計用通信装置において、ケースは、下ケースと上ケースと封印カバーとから成り、下ケースは、該下ケースを筐体に固定するためのケース固定用ネジ穴と、封印ワイヤを通すための封印部封印ワイヤ用穴を有する封印部とが形成された下ケース張出部を有し、封印カバーは、下ケース張出部に設けられた封印部を通す封印部通し穴と封印ワイヤ用穴とを有し、封印カバーは、下ケース張出部の封印部が封印部通し穴を通って表面に露出するように下ケースに取り付けられ、封印カバーの表面に露出した封印部の封印部封印ワイヤ用穴と封印ワイヤ用穴とに封印ワイヤが通されて締結されることにより封印されることを特徴とする。
【発明の効果】
【００１２】
第１の発明によれば、電力量計が筐体内に設置されている状態において電力量計を取り外さずに、空きスペースに電力量計用通信装置を設置して封印することができる。また、設置後にケーブルを電力量計に取り付けることが可能であるため取り付け作業が容易になり作業効率が向上する。さらに、従来の電力量計用通信装置に比べて、設置スペースの縮小と外観上の美観を向上させることができる。
【００１３】
また、第２〜第４の発明に係る電力量計用通信装置によれば、当該電力量計用通信装置を筐体に固定するための固定用ネジが上ケースの一部または封印カバーにより覆われるので、固定用ネジを封印することができ、悪戯を防止することができる。
【００１４】
また、第５の発明に係る電力量計用通信装置によれば、封印ネジが不要になるので、取付け作業性を向上させることができるとともに、製造コストを削減することができる。
【発明を実施するための最良の形態】
【００１５】
以下、本発明の実施例を、図面を参照しながら詳細に説明する。なお、以下で説明する各実施例において、同一または相当する構成部分には同一の符号を付して説明する。
【実施例１】
【００１６】
図１は本発明の実施例１に係る電力量計用通信装置を電力量計に取り付けた状態を示す外観斜視図である。
【００１７】
電力量計１は、計量データおよび交流電力を電力量計用通信装置３に送るための端子５を備えている。この端子５には、一方の端部にプラグ６が固定されたケーブル７が接続される。ケーブル７の他方の端部は、電力量計用通信装置３に接続される。電力量計用通信装置３は、電力量計１を収容する筐体２（図示しない）内であって、該電力量計１の上側に配置される。筐体２としては、計器箱、化粧ボックス、取り付け板等が使用される。
【００１８】
図２は本発明の実施例１に係る電力量計用通信装置の分解斜視図である。電力量計用通信装置３は、図２に示すように、回路基板８が収納された箱状の上ケース９と、この上ケース９の蓋として作用する下ケース１０とから構成されている。回路基板８が収納された上ケース９の開口面には、下ケース１０がネジ１１によりネジ止めされる。上ケース９および下ケース１０は、例えばＡＢＳ樹脂を成形することにより製造できる。
【００１９】
回路基板８は、電源回路８０および伝送信号入出力回路８１を搭載している。この回路基板８は、ケーブル７を介して電力量計１に接続される。
【００２０】
電源回路８０は、電力量計１からケーブル７を介して送られてくる交流電力を直流電力に変換する。この電源回路８０における変換によって得られた直流電力は、伝送信号入出力回路８１に供給される。
【００２１】
伝送信号入出力回路８１は、電源回路８０から供給される直流電力によって動作する。この伝送信号入出力回路８１は、詳細な説明は省略するが、電力量計１で計量された計量データを、ケーブル７を介して受信する伝送信号入力回路および伝送信号入力回路で受信された計量データを有線または無線により外部データ読出装置または集中管理センタへ伝送する伝送信号出力回路（何れも図示しない）から構成されている。
【００２２】
下ケース１０の外周の一部（より詳しくは、この電力量計用通信装置３を筐体２に取り付けた場合に上側となる部分）には、図１および図３に示すように、張出部１００が一体成形により形成されている。
【００２３】
図３は本発明の実施例１に係る電力量計用通信装置の一部を拡大して示す斜視図であり、図３（ａ）は、電力量計用通信装置３が封印される前の状態を示し、図３（ｂ）は、電力量計用通信装置３が封印された状態を示す。
【００２４】
張出部１００には、図３（ａ）に拡大して示すように、ケース固定用ネジ穴１５、封印用ネジ穴１６、封印ワイヤ用穴１７および下部ネジ挿入穴２３が形成されている。
【００２５】
ケース固定用ネジ穴１５、封印用ネジ穴１６および下部ネジ挿入穴２３は張出部１００を貫通するように設けられており、また、ケース固定用ネジ穴１５と下部ネジ挿入穴２３とは繋がっている。また、封印ワイヤ用穴１７は、張出部１００の表面に形成された突起部を該表面に沿って貫通するように設けられている。
【００２６】
ケース固定用ネジ穴１５は、下ケース１０を固定用ネジ２０で筐体２に固定するために使用される。下部ネジ挿入穴２３は、固定用ネジ２０をケース固定用ネジ穴１５に導くために使用される。封印用ネジ穴１６はネジ山を有し、封印ネジ１８を螺合するために使用される。この封印ネジ１８には、封印ワイヤ２１を通すための封印穴１９が設けられている。封印ワイヤ用穴１７は、封印ワイヤ２１を通すために使用される。
【００２７】
以上のように構成される電力量計用通信装置３は、電力量計１が例えば計器箱から成る筐体２内に設置されている状態で、該電力量計１を取り外すことなく、筐体２に取り付けられる。この取り付けの手順を、図３を参照しながら説明する。
【００２８】
なお、以下では、下ケース１０が回路基板８を収納した上ケース９に予めネジ１１によりネジ止めされることにより、電力量計用通信装置３の本体の組み立ては、完了しているものとする。
【００２９】
まず、筐体２に固定用ネジ２０が仮止めされた状態で、固定用ネジ２０を張出部１００の下部ネジ挿入穴２３に挿入し、次に、固定用ネジ２０がケース固定用ネジ穴１５に嵌合するように本体を下方向に移動させる。その後、固定用ネジ２０を締め付けて本体を筐体２に固定する。
【００３０】
次に、封印ネジ１８を、封印用ネジ穴１６に螺合させて、張出部１００に取り付ける。その後、封印ネジ１８の封印穴１９と封印ワイヤ用穴１７とに封印ワイヤ２１を通し、封印ワイヤ２１の両端に封印用鉛２２を圧着させる。これにより、電力量計用通信装置３が封印される。最後に、ケーブル７を電力量計１の正面方向から見て右側に位置する端子５に接続し、電力量計用通信装置３の設置が完了する。図４は電力量計用通信装置３を電力量計１と一緒に筐体２としての計器箱内に取り付けた状態を示す斜視図である。
【００３１】
以上説明したように、本発明の実施例１に係る電力量計用通信装置によれば、電力量計１が筐体２内に設置されている状態で、電力量計１を取り外すことなく、空きスペースに電力量計用通信装置を設置して封印することができるので、悪戯を防止することができる。また、電力量計用通信装置３の設置後にケーブル７を電力量計１に取り付けることができるので、取り付け作業が容易になり作業効率を向上させることができる。
【００３２】
また、実施例１に係る電力量計用通信装置によれば、電力量計用通信装置を電力量計１と一緒に、例えば計器箱や化粧ボックスといった筐体２の内部に収納できるので、従来の電力量計用通信装置に比べて余分なスペースが不要になり、しかも外観上の美観を向上させることができる。
【実施例２】
【００３３】
本発明の実施例２に係る電力量計用通信装置は、実施例１に係る電力量計用通信装置において、固定用ネジ２０のネジ頭２４に外部から触れることができないようにしたものである。
【００３４】
図５は本発明の実施例２に係る電力量計用通信装置の一部を拡大して示す斜視図であり、図５（ａ）は、電力量計用通信装置３が封印された状態を示し、図５（ｂ）は、封印される前の状態を、上ケース９の一部を切除して示す。
【００３５】
下ケース１０には、その外周の一部に、実施例１と同様に、下ケース張出部１０１が一体成形により形成されている。この下ケース張出部１０１には、図２（ａ）に示した実施例１における張出部１００と同様に、ケース固定用ネジ穴１５、封印用下ケースネジ穴１６ａ（実施例１の封印用ネジ穴１６に対応する）および下部ネジ挿入穴２３が形成されているが、封印ワイヤ用穴１７は形成されていない。
【００３６】
上ケース９には、その外周の一部であって、下ケース１０の下ケース張出部１０１に対応する位置に、上ケース張出部９１が一体成形により形成されている。この上ケース張出部９１には、封印用上ケースネジ穴１６ｂおよび封印ワイヤ用穴１７ａが形成されている。封印用上ケースネジ穴１６ｂは、封印用下ケースネジ穴１６ａに対応する位置に、上ケース張出部９１を貫通するように設けられている。また、封印ワイヤ用穴１７ａは、上ケース張出部９１の表面に形成された突起部を該表面に沿って貫通するように設けられている。
【００３７】
下ケース張出部１０１に形成された封印用下ケースネジ穴１６ａおよび上ケース張出部９１に形成された封印用上ケースネジ穴１６ｂにはネジ山が形成されており、封印ネジ１８が螺合される。
【００３８】
以上のように構成される電力量計用通信装置３は、電力量計１が例えば計器箱から成る筐体２内に設置されている状態で、該電力量計１を取り外すことなく、筐体２に取り付けられる。この取り付けの手順を、図５を参照しながら説明する。
【００３９】
なお、以下では、下ケース１０が回路基板８を収納した上ケース９に予めネジ１１によりネジ止めされることにより電力量計用通信装置３の本体の組み立ては、完了しているものとする。
【００４０】
まず、筐体２に固定用ネジ２０がネジ止めされる。この状態で、その固定用ネジ２０を下ケース張出部１０１の下部ネジ挿入穴２３に挿入し、次に、固定用ネジ２０がケース固定用ネジ穴１５に嵌合するように本体を下方向に移動させる。これにより、本体が筐体２に固定される。
【００４１】
次に、封印ネジ１８を、封印用下ケースネジ穴１６ａおよび封印用上ケースネジ穴１６ｂに螺合させて、下ケース張出部１０１および上ケース張出部９１に取り付ける。その後、封印ネジ１８の封印穴１９と封印ワイヤ用穴１７ａとに封印ワイヤ２１を通し、封印ワイヤ２１の両端に封印用鉛２２を圧着させる。これにより、電力量計用通信装置３が封印される。最後に、ケーブル７を電力量計１の正面方向から見て右側に位置する端子５に接続し、電力量計用通信装置３の設置が完了する。
【００４２】
以上説明したように、実施例２に係る電力量計用通信装置によれば、上述した実施例１と同様の効果に加え、固定用ネジ２０のネジ頭２４が上ケース９の上ケース張出部９１によって覆われるので、外部から固定用ネジ２０を回すことが不可能になり、悪戯を防止することができるという効果を奏する。
【実施例３】
【００４３】
本発明の実施例３に係る電力量計用通信装置は、実施例２に係る電力量計用通信装置において、固定用ネジ２０のネジ頭を外部から見ることができるようにしたものである。
【００４４】
図６は本発明の実施例２に係る電力量計用通信装置の一部を拡大して示す斜視図であり、図６（ａ）は電力量計用通信装置３が封印された状態を示し、図６（ｂ）は封印される前の状態を、上ケース９の一部を切除して示す。
【００４５】
実施例３に係る電力量計用通信装置は、上ケース９に形成された上ケース張出部９１の一部であって、下ケース張出部１０１に形成されたケース固定用ネジ穴１５に対向する位置にスリット２５が設けられていることを除けば、上述した実施例３に係る電力量計用通信装置と同じである。
【００４６】
スリット２５は、例えばドライバ等を差し込むことができない程度の幅で上ケース張出部９１に切り込みを入れることにより形成されている。
【００４７】
以上説明したように、実施例３に係る電力量計用通信装置によれば、上述した実施例２と同様の効果に加え、固定用ネジ２０のネジ頭２４を、スリット２５を介して外部から見ることができるので、電力量計用通信装置３を筐体２に設置するときに、固定用ネジ２０のネジ頭２４の位置を確認しながら設置することができるので、取り付け作業を効率よく行うことができる。
【実施例４】
【００４８】
本発明の実施例４に係る電力量計用通信装置は、実施例２に係る電力量計用通信装置における上ケース張出部９１を上ケース９から切り離し、封印カバー２６として独立させたものである。
【００４９】
図７は本発明の実施例４に係る電力量計用通信装置を示す斜視図であり、図７（ａ）は封印カバー２６を下ケース張出部１０２から取り外した状態を示し、図７（ｂ）は電力量計用通信装置３が封印された状態を拡大して示し、図７（ｃ）は封印される前の状態を拡大し、さらに封印カバー２６の一部を切除して示す。
【００５０】
下ケース１０には、その外周の一部に、実施例２の下ケース張出部１０１とほぼ同様の下ケース張出部１０２が一体成形により形成されている。下ケース張出部１０２は、その表面に複数の位置決め用穴３０が形成されている点が、実施例２の下ケース張出部１０１と異なる。
【００５１】
実施例４の上ケース９は、実施例２の上ケース９から下ケース張出部１０１が切り取られた構造を有する。したがって、実施例４の上ケース９の構造は、実施例１の上ケース９と同じである。
【００５２】
封印カバー２６は、下記の点を除き、実施例２の上ケース張出部９１とほぼ同様の構造を有する。即ち、封印カバー２６は、その表面に複数の位置決め用ボス２９が形成されている点が、実施例２の上ケース張出部９１と異なる。複数の位置決め用ボス２９は、下ケース張出部１０２の複数の位置決め用穴３０にそれぞれ対向する位置に設けられている。なお、実施例２の上ケース張出部９１に設けられた封印用上ケースネジ穴１６ｂに対応する穴を、実施例４では封印用封印カバーネジ穴１６ｂと呼ぶ。
【００５３】
以上のように構成される電力量計用通信装置３は、電力量計１が例えば計器箱から成る筐体２内に設置されている状態で、該電力量計１を取り外すことなく、筐体２に取り付けられる。この取り付けの手順を、図７を参照しながら説明する。
【００５４】
なお、以下では、下ケース１０が回路基板８を収納した上ケース９に予めネジ１１によりネジ止めされることにより電力量計用通信装置３の本体の組み立ては、完了しているものとする。
【００５５】
まず、筐体２に固定用ネジ２０が仮止めされた状態で、該固定用ネジ２０を下ケース張出部１０２の下部ネジ挿入穴２３に挿入し、次に、固定用ネジ２０がケース固定用ネジ穴１５に嵌合するように本体を下方向に移動させる。その後、固定用ネジ２０を締め付けて本体を筐体２に固定する。
【００５６】
次に、下ケース張出部１０２の位置決め用穴３０に封印カバー２６の位置決め用ボス２９が挿入されるようにして封印カバー２６を下ケース張出部１０２に被せる。この状態で、封印ネジ１８を、封印用下ケースネジ穴１６ａおよび封印カバー２６の封印用封印カバーネジ穴１６ｂに螺合させることにより、下ケース張出部１０１および封印カバー２６に取り付ける。その後、封印ネジ１８の封印穴１９と封印ワイヤ用穴１７ａとに封印ワイヤ２１を通し、封印ワイヤ２１の両端に封印用鉛２２を圧着させる。これにより、電力量計用通信装置３が封印される。最後に、ケーブル７を電力量計１の正面方向から見て右側に位置する端子５に接続し、電力量計用通信装置３の設置が完了する。
【００５７】
以上説明したように、実施例４に係る電力量計用通信装置によれば、電力量計用通信装置３を筐体２に設置するときに、実施例３よりも固定用ネジ２０の位置を明確に確認することができるので、取り付け作業を効率よく行うことができる。
【実施例５】
【００５８】
本発明の実施例５に係る電力量計用通信装置は、実施例４に係る電力量計用通信装置における封印ネジ１８の代わりに、下ケース１０に設けられた封印部３１と封印カバー２６に設けられた封印部通し穴３３とを用いて封印するようにしたものである。
【００５９】
図８は本発明の実施例５に係る電力量計用通信装置を示す斜視図であり、図８（ａ）は封印カバー２６を下ケース張出部１０２から取り外し状態を示し、図８（ｂ）は電力量計用通信装置３が封印された状態を拡大して示し、図８（ｃ）は封印される前の状態を拡大して、さらに封印カバー２６の一部を切除して示す。
【００６０】
下ケース１０には、その外周の一部に、実施例４の下ケース張出部１０２とほぼ同様の下ケース張出部１０３が一体成形により形成されている。即ち、下ケース張出部１０３には、実施例４の下ケース張出部１０２における封印用下ケースネジ穴１６ａの代わりに、封印部３１が設けられている。
【００６１】
封印部３１は、下ケース張出部１０３の表面に突出するように設けられている。この封印部３１には、封印ワイヤ２１を通すための封印部封印ワイヤ用穴３２が、下ケース張出部１０３の表面に沿って封印部３１を貫通するように形成されている。
【００６２】
封印カバー２６は、下記の点を除き、実施例４のそれと同様の構造を有する。即ち、封印カバー２６には、実施例４の封印カバー２６の封印用封印カバーネジ穴１６ｂの代わりに封印部通し穴３３が設けられ、さらに、下ケース張出部１０３に設けられた下部ネジ挿入穴２３を塞ぐための穴封印用ボス３４が設けられている。
【００６３】
以上のように構成される電力量計用通信装置３は、電力量計１が例えば計器箱から成る筐体２内に設置されている状態で、該電力量計１を取り外すことなく、筐体２に取り付けられる。この取り付けの手順を、図８を参照しながら説明する。
【００６４】
なお、以下では、下ケース１０が回路基板８を収納した上ケース９に予めネジ１１によりネジ止めされることにより電力量計用通信装置３の本体の組み立ては、完了しているものとする。
【００６５】
まず、筐体２に固定用ネジ２０が仮止めされた状態で、該固定用ネジ２０を下ケース張出部１０２の下部ネジ挿入穴２３に挿入し、次に、固定用ネジ２０がケース固定用ネジ穴１５に嵌合するように本体を下方向に移動させる。その後、固定用ネジ２０を締め付けて本体を筐体２に固定する。
【００６６】
次に、下ケース張出部１０３の位置決め用穴３０に封印カバー２６の位置決め用ボス２９が挿入されるようにして封印カバー２６を下ケース張出部１０３に被せる。これにより、封印部３１は、封印カバー２６の封印部通し穴３３を通って封印カバー２６の表面に突出し、封印部封印ワイヤ用穴３２が現れる。その後、封印部通し穴３３と封印ワイヤ用穴１７ａとに封印ワイヤ２１を通し、封印ワイヤ２１の両端に封印用鉛２２を圧着させる。これにより、電力量計用通信装置３が封印される。最後に、ケーブル７を電力量計１の正面方向から見て右側に位置する端子５に接続し、電力量計用通信装置３の設置が完了する。
【００６７】
以上説明したように、実施例５に係る電力量計用通信装置によれば、封印ネジ１８を使用しなので、実施例４に係る電力量計用通信装置に比べて部品点数が減り、取付け作業性が向上するとともに、コストを削減することができる。
【産業上の利用可能性】
【００６８】
本発明は、電力量計の計量値を上位端末で自動検針する自動検針システムに適用可能である。
【図面の簡単な説明】
【００６９】
【図１】本発明の実施例１に係る電力量計用通信装置を電力量計に取り付けた状態を示す外観斜視図である。
【図２】本発明の実施例１に係る電力量計用通信装置の分解斜視図である。
【図３】本発明の実施例１に係る電力量計用通信装置の一部を拡大して示す斜視図である。
【図４】本発明の実施例１に係る電力量計用通信装置を電力量計と一緒に筐体内に取り付けた状態を示す斜視図である。
【図５】本発明の実施例２に係る電力量計用通信装置の一部を拡大して示す斜視図である。
【図６】本発明の実施例３に係る電力量計用通信装置の一部を拡大して示す斜視図である。
【図７】本発明の実施例４に係る電力量計用通信装置の一部を拡大して示す斜視図である。
【図８】本発明の実施例５に係る電力量計用通信装置の一部を拡大して示す斜視図である。
【図９】従来の計器箱、電力量計および電力量計用通信装置の設置状態を示す外観斜視図である。
【符号の説明】
【００７０】
１  電力量計
２  筐体
３  電力量計用通信装置
５  端子
６  プラグ
７  ケーブル
８  回路基板
９  上ケース
１０  下ケース
１５  ケース固定用ネジ穴
１６  封印用ネジ穴
１７  封印ワイヤ用穴
１８  封印ネジ
１９  封印穴
２０  固定用ネジ
２１  封印ワイヤ
２２  封印用鉛
２３  下部ネジ挿入穴
２４  固定用ネジのネジ頭
２５  スリット
２６  封印カバー
２９  位置決め用ボス
３０  位置決め用穴
３１  封印部
３２  封印部封印ワイヤ用穴
３３  封印部通し穴
８０  電源回路
８１  伝送信号入出力回路
９１  上ケース張出部
１００  張出部
１０１，１０２，１０３  下ケース張出部
【図１】
2006275800.tif 000003
【図２】
2006275800.tif 000004
【図３】
2006275800.tif 000005
【図４】
2006275800.tif 000006
【図５】
2006275800.tif 000007
【図６】
2006275800.tif 000008
【図７】
2006275800.tif 000009
【図８】
2006275800.tif 000010
【図９】
2006275800.tif 000011